(57)【特許請求の範囲】
【請求項１】
着色剤として染料を用いたシアン染料インク、着色剤として顔料を用いたブルー顔料インク（色相角ｈが、２７０°≦ｈ≦３２０°）及び／又は着色剤として顔料を用いたグリーン顔料インク（色相角ｈが、１７５°≦ｈ≦２１５°）を備えたインクジェット記録用水性インクセットであって、
シアン染料インクが、Ｌ*ａ*ｂ*表色系によるベタプリントの明度指数（Ｌ*）がＬ*≧６０のライトシアン染料インク（色相角ｈが、２１５°≦ｈ≦２５５°）であり、
シアン染料インクとして、ベタプリントの明度指数（Ｌ*）がＬ*＜６０のノーマルシアンインクをもたない
ことを特徴とするインクジェット記録用水性インクセット。
【請求項２】
ライトシアン染料インクのベタプリントの明度指数（Ｌ*）が、６０≦Ｌ*≦８５である請求項１記載のインクジェット記録用水性インクセット。
【請求項３】
ライトシアン染料インクのＬ*ａ*ｂ*表色系による彩度（Ｃ*）が、４０≦Ｃ*≦７０である請求項１又は２記載のインクジェット記録用水性インクセット。
【請求項４】
ブルー顔料インクのＬ*ａ*ｂ*表色系によるベタプリントの明度指数（Ｌ*）が、Ｌ*≦４５である請求項１〜３のいずれかに記載のインクジェット記録用水性インクセット。
【請求項５】
ブルー顔料インクのＬ*ａ*ｂ*表色系によるベタプリントの明度指数（Ｌ*）が、３５≦Ｌ*≦４５である請求項１〜４のいずれかに記載のインクジェット記録用水性インクセット。
【請求項６】
ブルー顔料インクのＬ*ａ*ｂ*表色系による彩度（Ｃ*）が、７０≦Ｃ*≦８０である請求項１〜５のいずれかに記載のインクジェット記録用水性インクセット。
【請求項７】
グリーン顔料インクのＬ*ａ*ｂ*表色系によるベタプリントの明度指数（Ｌ*）が、Ｌ*≦６０である請求項１〜６のいずれかに記載のインクジェット記録用水性インクセット。
【請求項８】
グリーン顔料インクのＬ*ａ*ｂ*表色系によるベタプリントの明度指数（Ｌ*）が、３５≦Ｌ*≦６０である請求項１〜７のいずれかに記載のインクジェット記録用水性インクセット。
【請求項９】
グリーン顔料インクのＬ*ａ*ｂ*表色系による彩度（Ｃ*）が、６０≦Ｃ*≦８０である請求項１〜８のいずれかに記載のインクジェット記録用水性インクセット。
【請求項１０】
さらに、イエローインク及び／又はマゼンタインクを備えた請求項１〜９のいずれかに記載のインクジェット記録用水性インクセット。
【請求項１１】
請求項１〜１０のいずれかに記載のインクジェット記録用水性インクセットを使用することを特徴とするインクジェット記録方法。
【発明の詳細な説明】
【技術分野】
【０００１】
本発明は、低濃度プリント部における粒状感の低減、耐ガス性の向上、色再現範囲の拡大に好適なインクジェット記録用水性インクセット及びこのインクジェット記録用水性インクセットを使用したインクジェット記録方法に関する。
【背景技術】
【０００２】
インクジェット記録方式でカラー画像を表現する場合、一般に、イエローインク（Ｙ）、マゼンタインク（Ｍ）及びシアンインク（Ｃ）の３色のインクから構成されるインクセット、あるいは、さらにブラックインク（Ｋ）を加えた４色のインクから構成されるインクセットが用いられている。
【０００３】
また、インクジェット記録方式において、一般に、画像の階調はインクの吐出により被記録材上に形成されるドットの密度によって制御される。しかしながら、このような方法で階調を制御すると、低濃度プリント部においてはドット密度が減少するため、相対的に個々のドットが視認され易くなり、その結果として、画像が粒状感を呈するという問題が生じる。
【０００４】
これに対しては、シアンインクに関し、染料濃度の異なる２以上のインクを使用し、かつこれらの染料の種類を異ならせ、濃色インクには、耐光性には劣るが鮮明性に優れる染料を選択し、淡色インクには、鮮明性には劣るが耐光性に優れる染料を選択することが提案されており（特許文献１）、また、マゼンタインクについても同様の提案がなされている（特許文献２）。しかしながら、これらの方法に従うと、粒状感の改善は見られるものの、色再現範囲を拡大することができないという問題がある。さらに、染料インクを用いた場合、プリント部の耐ガス性、特に耐オゾン性が問題となっている。
【０００５】
また、一般に、イエローインク、マゼンタインク及びシアンインクの３色のインクから構成されるインクセット、あるいは、さらにブラックインクを加えた４色のインクから構成されるインクセットでは、ブルー色は、シアンインクとマゼンタインクを用いて表現されるが、このように２種のインクを用いてブルー色を表現すると、重ね打ちの着弾誤差によってシャープな印字品質や鮮やかな発色性が得にくいという問題点があり、同様の問題は、シアンインクとイエローインクを用いてグリーン色を表現する場合にも生じている。
【０００６】
【特許文献１】特開平１−９５０９３号公報
【特許文献２】特開平２−１２７４８２号公報
【発明の開示】
【発明が解決しようとする課題】
【０００７】
本発明は、前述した問題点を解決するためになされたものであり、インクジェット記録方法において、
（ｉ）高濃度プリント部におけるシアン方向の色再現範囲を縮小させず、かつインクセットを構成するインク数を最小限に抑えつつ、シアン方向の低濃度プリント部における粒状感を低減させること
（ｉｉ）ブルー方向及び／又はグリーン方向について色再現範囲を拡大し、ブリーディングやフェザリングを改善して鮮明性を向上させること
（ｉｉｉ）シアン方向、ブルー方向及び／又はグリーン方向の耐ガス性を向上させること
を目的する。
【課題を解決するための手段】
【０００８】
本発明者らは、インクジェット記録用水性インクセットを構成するインクのＬ*ａ*ｂ*表色系による明度指数（Ｌ*）、色相角（ｈ）及び彩度（Ｃ*）が、カラー画像の低濃度プリント部における粒状感の低減、色再現範囲の拡大に密接な関係があるという仮説の下に鋭意研究を行った結果、シアンインクを備えたインクジェット記録用水性インクセットにおいて、シアンインクとして、従前のインクセットで用いられているノーマルシアンインクに代えて、明度指数（Ｌ*）が特定値以上の着色剤が染料であるライトシアン染料インクを使用し、かつ着色剤が顔料であるブルー顔料インク及び／又はグリーン顔料インクを使用することにより、上述の目的（ｉ）、（ｉｉ）及び（ｉｉｉ）を達成できることを見出し、本発明を完成させた。
【０００９】
即ち、本発明は、着色剤として染料を用いたシアン染料インク、着色剤として顔料を用いたブルー顔料インク及び／又は着色剤として顔料を用いたグリーン顔料インクを備えたインクジェット記録用水性インクセットであって、シアン染料インクがＬ*ａ*ｂ*表色系による明度指数（Ｌ*）がＬ*≧６０のライトシアン染料インクであることを特徴とするインクジェット記録用水性インクセットを提供する。
【００１０】
また、本発明は、上述のインクジェット記録用水性インクセットを使用したインクジェット記録方法を提供する。
【発明の効果】
【００１１】
本発明のインクジェット記録用水性インクセットは、シアンインクとして着色剤が染料で濃度が低く明度指数（Ｌ*）が特定値以上のライトシアン染料インクを備えているので、着色剤が低濃度であることと、着色剤として染料を使用することによるドットのにじみ易さとの相乗効果により、このインクセットを用いてインクジェット記録を行うと、シアン方向の低濃度プリント部の粒状感を低減させることができる。
【００１２】
また、本発明のインクセットにおいて、ライトシアン染料インクと共にブルー顔料インクを備えた態様によれば、高濃度プリント部におけるシアン方向の色再現範囲が縮小せず、ブルー方向については色再現範囲が顕著に拡大し、ブルー色の鮮明性が向上する。ここで、ブルー色の鮮明性の向上は、シアンインクとマゼンタインクの混色によらず、ブルーインク単独でブルー色を表現できること、さらに、このブルーインクが顔料インクであることによりドットがにじみにくく、ブリーディングやフェザリングが生じにくいことによる。ブルー色は、一般に、黒色及び赤色に次いで、文字、記号、罫線等を含むテキスト印字に多用される色であるから、本発明によれば、このブルー色テキストをシャープな印字品質で鮮やかな発色性をもってプリントすることが可能となる。
【００１３】
また、本発明においてブルーインクが顔料インクである態様によれば、ブルー方向のプリント部の耐ガス性も良好となる。
【００１４】
加えて、このブルー顔料インクはシアンプリント部に打ち込んでもよく、それによりシアンの色相をほとんど変化させることなく、シアン方向の耐ガス性を向上させることが可能となる。
【００１５】
一方、本発明のインクセットにおいて、ライトシアン染料インクと共にグリーン顔料インクを備えた態様によれば、高濃度プリント部におけるシアン方向の色再現範囲が縮小せず、グリーン方向については色再現範囲が顕著に拡大し、グリーン色の鮮明性が向上する。ここで、グリーン色の鮮明性の向上も、シアンインクとイエローインクの混色によらず、グリーンインク単独でグリーン色を表現できること、さらに、このグリーンインクが顔料インクであることによりドットがにじみにくく、ブリーディングやフェザリングが生じにくいことによる。よって、上述のブルー色テキストと同様に、グリーン色テキストもシャープな印字品質で鮮やかな発色性をもってプリントすることが可能となる。
【００１６】
また、本発明においてグリーンインクが顔料インクである態様によれば、グリーン方向のプリント部の耐ガス性も良好となる。
【００１７】
加えて、このグリーン顔料インクはシアンプリント部に打ち込んでもよく、それにより、シアンの色相をほとんど変化させることなく、シアン方向の耐ガス性を向上させることが可能となる。
【００１８】
以上により、本発明のインクセットにおいて、ライトシアン染料インク、ブルー顔料インク及びグリーン顔料インクの全てのインクを備えている態様によれば、シアン方向の低濃度プリント部の粒状感の低減、シアン方向の高濃度プリント部における色再現範囲の縮小防止、ブルー方向及びグリーン方向における色再現範囲の顕著な拡大、ブルー色及びグリーン色の鮮明性の向上、ブルー方向及びグリーン方向のプリント部の耐ガス性向上という効果を得ることができ、さらにかかる効果をライトシアン染料インク、ブルー顔料インク及びグリーン顔料インクという３種のインクで達成することができる。
【発明を実施するための最良の形態】
【００１９】
以下、本発明を詳細に説明する。
【００２０】
本発明において、明度指数（Ｌ*）、色相角（ｈ）及び彩度（Ｃ*）は、１９７６年に国際照明委員会（ＣＩＥ）で規格化されたＬ*ａ*ｂ*表色系に基づくものである。なお、日本工業規格（ＪＩＳ）では、ＪＩＳ Ｚ ８７２９に規定されている。
【００２１】
また、本発明において明度指数（Ｌ*）は、光沢紙に各インクを１２００×１２００ｄｐｉベタプリントしたものに対して、分光測色計等を用いて測定される値であり、色相角（ｈ）と彩度（Ｃ*）は、同様のベタプリントに対して、まず知覚色度指数（ａ*、ｂ*）を分光測色計等を用いて測定し、測定されたａ*、ｂ*を用いて次式（１）、（２）により算出される値である。
【００２２】
【数１】
0004816890.tif 000002
【００２３】
【数２】
0004816890.tif 000003
【００２４】
なお、Ｌ*、ａ*及びｂ*の測定で用いる「光沢紙」とは、ベースペーパー（原紙ペーパー）に表面平滑性が得られるコート層を設けた紙のことをいい、具体的には、画彩（登録商標）光沢仕上げ（富士写真フィルム（株）製）、インクジェットプリンタ用紙（光沢紙）（コクヨ（株）製）、厚手光沢紙（コダック（株）製）等が挙げられる。また、「解像度１２００×１２００ｄｐｉベタプリント」とは、解像度１２００×１２００ｄｐｉの領域が１００％被覆されるようにプリントすることである。プリントに使用できるインクジェットプリンタとしては、ブラザー工業（株）製インクジェットプリンタ搭載デジタル複合機ＭＦＣ−５２００Ｊ等を挙げることができ、分光測色計としては、Ｇｒｅｔａｇ Ｍａｃｂｅｔｈ社製Ｓｐｅｃｔｒｏｌｉｎｏ等を使用することができる。測色条件は、光源：Ｄ65、視野角：２°とした。
【００２５】
本発明のインクジェット記録用水性インクセットは、シアン染料インク、ブルー顔料インク及び／又はグリーン顔料インクを備え、シアン染料インクがＬ*≧６０のライトシアン染料インクであることを特徴としている。したがって、Ｌ*＜６０のノーマルシアンインクは、本発明のインクセットを構成しない。シアンインクとしてＬ*＜６０のノーマルシアンインクを用いると、シアン方向の低濃度プリント部において、粒状感が目立つため好ましくない。
【００２６】
本発明のインクセットを構成するライトシアン染料インクのＬ*は、好ましくは６０≦Ｌ*≦８５である。ライトシアン染料インクのＬ*が８５を超えると、本来のシアン色を再現することが困難となるので好ましくない。
【００２７】
また、ライトシアン染料インクのｈは、２１５°≦ｈ≦２５５°となるように調整することが好ましい。ｈがこの範囲内でないと、充分にシアン色を表現することが困難となる。
【００２８】
さらに、ライトシアン染料インクのＣ*は、４０≦Ｃ*≦７０となるように調整することが好ましい。Ｃ*をこの範囲内とすることにより、鮮やかなシアン色を再現することが可能となる。
【００２９】
一方、本発明のインクセットを構成するブルー顔料インクとしては、Ｌ*≦４５のものが好ましい。ブルー顔料インクのＬ*が４５を超えると、本来のブルー色を再現することが困難となるので好ましくない。ブルー顔料インクのＬ*について、より好ましい範囲は３５≦Ｌ*≦４５である。ブルー顔料インクのＬ*をこの範囲内とすることにより充分な濃度のブルー色及びシアン色を再現することができる。
【００３０】
ブルー顔料インクのｈは、２７０°≦ｈ≦３２０°となるように調整することが好ましい。ｈをこの範囲内に調整することにより、充分にブルー色を表現することが可能となる。
【００３１】
さらに、ブルー顔料インクのＣ*は、７０≦Ｃ*≦８０となるように調整することが好ましい。Ｃ*をこの範囲内に調整することにより、鮮やかなブルー色を再現することが可能となる。
【００３２】
一方、本発明のインクセットを構成するグリーン顔料インクとしては、Ｌ*≦６０のものが好ましい。グリーン顔料インクのＬ*が６０を超えると、本来のグリーン色を再現することが困難となるので好ましくない。グリーン顔料インクのＬ*について、より好ましい範囲は３５≦Ｌ*≦６０である。グリーン顔料インクのＬ*をこの範囲内とすることにより充分な濃度のグリーン色とシアン色を再現することができる。
【００３３】
グリーン顔料インクのｈは、１７５°≦ｈ≦２１５°となるように調整することが好ましい。ｈをこの範囲内に調整することにより、充分にグリーン色を表現することが可能となる。
【００３４】
さらに、グリーン顔料インクのＣ*は、６０≦Ｃ*≦８０となるように調整することが好ましい。Ｃ*をこの範囲内に調整することにより、鮮やかなグリーン色を再現することが可能となる。
【００３５】
本発明のインクセットとしては、ライトシアン染料インクに加えて、ブルー顔料インク又はグリーン顔料インクの何れか一方を備えてもよいが、これら全てのインクを備えてもよい。また、本発明のインクセットは、ライトシアン染料インク、ブルー顔料インク及び／又はグリーン顔料インクの他、任意のインクを備えることができ、例えば、イエローインク及び／又はマゼンタインクを備えることができる。必要に応じてブラックインクを備えてもよい。ライトシアン染料インク、ブルー顔料インク及び／又はグリーン顔料インクに加えて、イエローインク、マゼンタインク、さらに必要に応じてブラックインクを備えることにより、フルカラー画像を再現することができる。
【００３６】
本発明のインクセットにマゼンタインクを備える場合、そのマゼンタインクとしては、公知のインクセットに用いられているノーマルマゼンタインクを使用することもできるが、ノーマルゼンタインクに代えて、Ｌ*≧５０のライトマゼンタインクを使用し、さらにレッドインクを使用することが好ましい。この場合、Ｌ*＜５０のノーマルマゼンタインクは不要である。マゼンタインクとしてＬ*≧５０のライトマゼンタインクを使用することにより、マゼンタ色を含む低濃度プリント部において、粒状感を低減させることができる。ライトマゼンタインクの好ましいＬ*は５０≦Ｌ*≦６５である。ライトマゼンタインクのＬ*が６５を超えると、本来のマゼンタ色を再現することが困難となるので好ましくない。
【００３７】
また、ライトマゼンタインクのｈは、３３５°≦ｈ≦３６０°又は０°≦ｈ≦５°となるように調整することが好ましい。ｈがこの範囲内でないと、充分にマゼンタ色を表現することが困難となる。
【００３８】
さらに、ライトマゼンタインクのＣ*は、８０≦Ｃ*≦９０となるように調整することが好ましい。Ｃ*をこの範囲内に調整することにより、鮮やかなマゼンタ色を再現することが可能となる。
【００３９】
ライトマゼンタインクと共に使用するレッドインクとしては、Ｌ*≦５０のものが好ましい。レッドインクのＬ*が５０を超えると、レッド方向の色再現範囲を充分に得ることが困難となる。レッドインクのＬ*について、より好ましい範囲は２５≦Ｌ*≦５０である。レッドインクのＬ*をこの範囲内に調整することにより充分な濃度のレッド色とマゼンタ色を再現することができる。
【００４０】
レッドインクのｈは、２０°≦ｈ≦３５°となるように調整することが好ましい。ｈをこの範囲内に調整することにより、充分にレッド色を表現することが可能となる。
【００４１】
さらに、レッドインクのＣ*は、８０≦Ｃ*≦９０となるように調整することが好ましい。Ｃ*をこの範囲内に調整することにより、鮮やかなレッド色を再現することが可能となる。
【００４２】
加えて、ライトマゼンタインクの着色剤及びレッドインクの着色剤の少なくとも一方を顔料としてもよい。
【００４３】
本発明のインクセットにイエローインクやブラックインクを備える場合、これらのインクとしては公知のインクセットに用いられているものを使用することができる。例えば、イエローインクとしては、ｈが７０〜１４０°のノーマルイエローインクを使用することができる。
【００４４】
本発明のインクセットを構成する個々のインクは、それぞれ上述の所定のＬ*、ｈ及びＣ*を有するように着色剤、水及び水溶性有機溶剤を含有する。
【００４５】
インクに含まれる着色剤としては、水溶性染料又は顔料を挙げることができ、これらを適宜組み合わせて用いることにより所期のインク色に調整する。
【００４６】
即ち、水溶性染料としては、直接染料、酸性染料、塩基性染料、反応性染料等に代表される水溶性染料が用いられる。また、水溶性染料の構造としては、アゾ染料、金属錯塩染料、ナフトール染料、アントラキノン染料、インジゴ染料、カーボニウム染料、キノンイミン染料、キサンテン染料、アニリン染料、キノリン染料、ニトロ染料、ニトロソ染料、ベンゾキノン染料、ナフトキノン染料、フタロシアニン染料、金属フタロシアニン染料等が好ましい。特に、インクジェット記録方式のインクとして好適で、鮮明性、水溶性、安定性、耐光性その他の要求される性能を満たす水溶性染料としては、Ｃ．Ｉ．ダイレクトイエロー１２，２４，２６，２７，２８，３３，３９，５８，８６，９８，１００，１３２及び１４２、Ｃ．Ｉ．ダイレクトレッド４，１７，２８，３７，６３，７５，７９，８０，８１，８３及び２５４、Ｃ．Ｉ．ダイレクトバイオレット４７，４８，５１，９０及び９４、Ｃ．Ｉ．ダイレクトブルー１，６，８，１５，２２，２５，７１，７６，８０，８６，８７，９０，１０６，１０８，１２３，１６３，１６５，１９９及び２２６、Ｃ．Ｉ．ダイレクトグリーン１，２６，２８，５９，８０及び８５等の直接染料；Ｃ．Ｉ．アシッドイエロー３，１１，１７，１９，２３，２５，２９，３８，４２，４９，５９，６１，７１及び７２、Ｃ．Ｉ．アシッドレッド１，６，８，１８，３２，３５，３７，４２，５２，８５，８８，１１５，１３３，１３４，１５４，１８６，２４９、２８９及び４０７、Ｃ．Ｉ．アシッドバイオレット１０，３４，４９及び７５、Ｃ．Ｉ．アシッドブルー９，２２，２９，４０，５９，６２，９３，１０２，１０４，１１２，１１３，１１７，１２０，１６７，１７５，１８３，２２９及び２３４、Ｃ．Ｉ．アシッドグリーン３，５，９，１２，１５，１６，１９，２５，２７，２８，３６，４０，４１，４３，４４，５６，７３，８１，８４，１０４，１０８及び１０９等の酸性染料；Ｃ．Ｉ．ベーシックイエロー４０、Ｃ．Ｉ．ベーシックレッド９，１２及び１３、Ｃ．Ｉ．ベーシックバイオレット７，１４及び２７、Ｃ．Ｉ．ベーシックブルー１，３，５，７，９，２４，２５，２６，２８及び２９、Ｃ．Ｉ．ベーシックグリーン１及び４等の塩基性染料；Ｃ．Ｉ．リアクティブイエロー２、Ｃ．Ｉ．リアクティブレッド４，２３，２４，３１及び５６、Ｃ．Ｉ．リアクティブブルー７，１３及び４９、Ｃ．Ｉ．リアクティブグリーン５，６，７，８，１２，１５，１９及び２１等の反応性染料が挙げられる。
【００４７】
また、顔料としては、例えば、Ｃ．Ｉ．ピグメントイエロー１，２，３，１３，１６，７４，８３，９３，１２８，１３４及び１４４、Ｃ．Ｉ．ピグメントレッド５，７，１２，２３，４８（Ｍｎ），５７（Ｃａ），１１２，１２２，１４４，１７０，１７７，２２１，２５４及び２６４、Ｃ．Ｉ．ピグメントバイオレット１９、２３及び４８（Ｃａ）、Ｃ．Ｉ．ピグメントブルー １，２，３，１５，１５：１，１５：２，１５：３，１５：４，１５：５，１５：６，１６，１７：１，２２，２７，２８，２９，３６及び６０、Ｃ．Ｉ．ピグメントグリーン７等が挙げられる。
【００４８】
ブラックインクの着色剤としても、水溶性染料又は顔料を挙げることができ、これらを適宜組み合わせて用いてもよい。水溶性染料としては、例えば、Ｃ．Ｉ．ダイレクトブラック１７，１９，３２，５１，７１，１０８，１４６，１５４及び１６８等の直接染料；Ｃ．Ｉ．アシッドブラック２，７，２４，２６，３１，５２，６３，１１２及び１１８等の酸性染料；Ｃ．Ｉ．ベーシックブラック２等の塩基性染料；Ｃ．Ｉ．フードブラック１及び２等が挙げられる。また、顔料としては、例えば、ＭＡ８、ＭＡ１００（三菱化学(株)製）、カラーブラックＦＷ２００(デグサ製)等のカーボンブラックを使用することができる。カーボンブラックとしては、分散剤を用いなくても水に分散可能な自己分散型のものを用いてもよい。自己分散型カーボンブラックは、その表面に、カルボニル基、カルボキシル基、ヒドロキシル基又はスルホン基のような少なくとも一種の親水基又はその塩を結合させる処理をすることによって得ることができる。この表面処理の具体例としては、特開平８−３４９８号公報及び特表２０００−５１３３９６号公報に記載の方法を挙げることができる。また、自己分散黒色顔料としては、例えば、ＣＡＢ−Ｏ−ＪＥＴ（登録商標）２００及び３００(キャボット製)、ボンジェット（登録商標）ＣＷ１(オリエント化学工業(株)製)等の市販品を利用することも可能である。
【００４９】
染料インクにおける水溶性染料の含有量は、所望のプリント濃度や色彩により異なるが、少なすぎると被記録材上での発色が不充分であり、多すぎるとインクジェットヘッドのノズルの目詰まりが起きやすくなるので、好ましくは各インク全重量に対して０．１〜１５重量％、より好ましくは０．３〜１０重量％、特に好ましくは０．５〜５．０重量％の範囲である。
【００５０】
顔料インクにおける顔料の含有量は、所望のプリント濃度や色彩により異なるが、少なすぎると被記録材上での発色が不充分であり、多すぎるとインクジェットヘッドのノズルの目詰まりが起きやすくなるので、好ましくは各インクの全重量に対して０．２〜１５重量％、より好ましくは０．２〜１０重量％の範囲である。
【００５１】
一方、インクに使用する水は、脱イオン水とすることが好ましい。水の含有量は、水溶性有機溶剤の種類、インク組成、所望のインク特性に応じて決定されるが、少なすぎるとインクの粘度が上昇するためにインクジェットヘッドのノズルからの吐出が困難となり、多すぎると水分蒸発によって着色剤の析出、凝集等が生じ、インクジェットヘッドのノズルの目詰まりが起きやすくなるので、好ましくは各インクの全重量に対して１０〜９５重量％、より好ましくは１０〜９０重量％、特に好ましくは２０〜８０重量％の範囲である。
【００５２】
インクで使用する水溶性有機溶剤は、湿潤剤と浸透剤に大別される。
【００５３】
湿潤剤は、インクジェットヘッドのノズルの目詰まりを防止するためにインクに添加される。湿潤剤の具体例としては、グリセリン、エチレングリコール、ジエチレングリコール、トリエチレングリコール、ポリエチレングリコール、プロピレングリコール、ジプロピレングリコール、トリプロピレングリコール、ポリプロピレングリコール、１，５−ペンタンジオール、１，６−ヘキサンジオール等の水溶性グリコールが挙げられる。湿潤剤としての水溶性有機溶剤の含有量としては、少なすぎるとインクジェットヘッドのノズルの目詰まりを防止するために不充分であり、多すぎるとインクの粘度が上昇し、吐出が困難となるので、好ましくは各インクの全重量に対して５〜５０重量％、より好ましくは５〜４０重量％、特に好ましくは５〜３５重量％の範囲である。
【００５４】
浸透剤は、プリントした際、インクを速やかに紙内部に浸透させるためにインクに添加される。浸透剤の具体例としては、エチレングリコール系及びプロピレングリコール系のアルキルエーテルに代表されるグリコールエーテル等が挙げられる。エチレングリコール系アルキルエーテルの具体例としては、エチレングリコールメチルエーテル、エチレングリコールエチルエーテル、エチレングリコール−ｎ−プロピルエーテル、エチレングリコール−ｎ−ブチルエーテル、エチレングリコールイソブチルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコールイソブチルエーテル、トリエチレングリコールメチルエーテル、トリエチレングリコールエチルエーテル、トリエチレングリコール−ｎ−プロピルエーテル、トリエチレングリコール−ｎ−ブチルエーテル、トリエチレングリコールイソブチルエーテル等が挙げられ、プロピレングリコール系アルキルエーテルの具体例としては、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコール−ｎ−エチルエーテル、トリプロピレングリコール−ｎ−プロピルエーテル、トリプロピレングリコール−ｎ−ブチルエーテル等が挙げられる。
【００５５】
浸透剤としての水溶性有機溶剤の含有量としては、少なすぎると浸透性が不充分であり、多すぎると過剰な浸透性によってフェザリング等のにじみを生じやすくなるので、好ましくは各インクの全重量に対して０．１〜１０重量％、より好ましくは０．１〜５重量％の範囲である。
【００５６】
本発明のインクセットを構成するインクには、上述の湿潤剤及び浸透剤の他、インクジェットヘッドの先端部におけるインクの乾燥を防止したり、プリント濃度を高くしたり、鮮やかな発色をさせたりする水溶性有機溶剤を含むことができる。このような水溶性有機溶剤としては、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン、ジアセトンアルコール等のケトン又はケトアルコール；テトラヒドロフラン、ジオキサン等のエーテル；グリセリン；２−ピロリドン、Ｎ−メチル−２−ピロリドン；１，３−ジメチル−２−イミダゾリジノン等が挙げられる。
【００５７】
本発明のインクセットを構成するインクには、さらに、従来公知の界面活性剤；ポリビニルアルコール、セルロース、水溶性樹脂等の粘度調整剤；表面張力調整剤；防黴剤等を必要に応じて添加することができる。
【００５８】
本発明のインクジェット記録方法は、インクジェット記録を本発明のインクセットを使用して行うものである。インクジェット記録の方式には特に制限はなく、静電吸引方式、圧電素子を用いる方式、サーマル方式などを挙げることができる。
【００５９】
本発明のインクジェット記録方法において、ライトシアン染料インクとブルー顔料インク及び／又はグリーン顔料インクとを被記録材で併用するにあたり、これらの使用割合は、ブルー顔料インク及び／又はグリーン顔料インクがライトシアン染料インクに対して体積割合で２５％以上５０％以下となることが好ましい。ブルー顔料インク及び／又はグリーン顔料インクの使用が２５％未満であるとシアン色の耐ガス性の改善効果が低く、５０％を超えるとシアン色の色目が明らかに変化してしまうため好ましくない。
【００６０】
また、ライトシアン染料インクと、ブルー顔料インク及び／又はグリーン顔料インクとを被記録材で併用するにあたり、これらの着弾順序は、再現したい色目が再現できれば特に限定はないが、ブルー顔料インク記録部分及び／又はグリーン顔料インク記録部分にライトシアン染料インクを重ねて着弾させると、染料分子の光透過性により発色性が向上する。一方、ライトシアン染料インクが被記録材に着弾した部分にブルー顔料インク及び／又はグリーン顔料インク重ねて着弾させると、顔料が印字物の表面に存在するため、下層に存在する染料分子に届く光が減少し、耐光性が向上する。また、同様の理由で、下層に存在する染料分子にアタックするオゾン等の酸化物が減少するため、耐ガス性も向上する。
【実施例】
【００６１】
以下に、実施例及び比較例に基いて、本発明を具体的に説明する。なお、本実施例において、％は、特にことわらない限り、重量％を表す。
【００６２】
実施例Ｂ１〜Ｂ３、比較例Ｂ１〜Ｂ６、実施例Ｇ１〜Ｇ２、比較例Ｇ１〜Ｇ５
（１）インクの調製
表１に示したインク組成で、ライトシアン染料インク１を次のように調製した。
【００６３】
まず、グリセリン：２７重量部、ジプロピレングリコール−ｎ−プロピルエーテル（以下、ＤＰＧＰＥという）：２重量部、水：６９重量部を混合して、インク溶媒：９８重量部を調製した。次いでシアン水溶性染料（Ｃ．Ｉ．ダイレクトブルー１９９）：２重量部を攪拌中のインク溶媒９８重量部に加え、さらに３０分間撹拌し、孔径１μｍのメンブランフィルターにて濾過し、ライトシアン染料インク１を調製した。
【００６４】
組成を表１に記載のように変更した以外は、ライトシアン染料インク１と同様の操作を繰り返すことにより、ライトシアン染料インク２、ライトシアン染料インク３、ノーマルシアン染料インク、ブルー染料インク、グリーン染料インク、イエローインク及びマゼンタインクを調製した。
【００６５】
また、表１に示したインク組成で、ブルー顔料インクを次のように調製した。Ｃ．Ｉ．ピグメントバイオレット２３：３０重量部、ポリオキシエチレンラウリルエーテル硫酸アンモニウム（オキシエチレン平均重合度＝１２）：１５重量部、グリセリン：１５重量部、水：４０重量部を混合した後、直径０.３ｍｍのジルコニアビーズを媒体として湿式サンドミルにて分散処理を行い、ブルー顔料分散体１００重量部を得た。
【００６６】
さらに、水：５４重量部、グリセリン：２４重量部、ＤＰＧＰＥ：２重量部を混合して、インク溶媒：８０重量部を調製した。その後、上述のブルー顔料分散体１００重量部から２０重量部を秤取り、その撹拌中に、調製したインク溶媒：８０重量部を徐々に加え、さらに３０分間撹拌した後に、孔径１μｍのメンブランフィルターにて濾過し、ブルー顔料インクを調製した。なお、インク全重量に対するＣ．Ｉ．ピグメントバイオレット２３の配合量は、６重量％であった。
【００６７】
組成を表１に記載のように変更した以外は、ブルー顔料インクと同様の操作を繰り返すことにより、グリーン顔料インクを調製した。
【００６８】
（２）Ｌ＊、ａ＊、ｂ＊、Ｃ＊、ｈの取得
インクを所定のインクカートリッジに充填し、インクジェットプリンタ搭載デジタル複合機（ブラザー工業（株）製；ＭＦＣ−５２００Ｊ）に装着して、光沢紙（富士写真フィルム（株）製；画彩（登録商標）光沢仕上げ）に１２００×１２００ｄｐｉベタプリントをプリントし、そのベタプリントのＬ*、ａ*及びｂ*を、Ｇｒｅｔａｇ  Ｍａｃｂｅｔｈ社製Ｓｐｅｃｔｒｏｌｉｎｏ（光源：Ｄ６５；視野：２°）により測定した。
【００６９】
また、Ｃ*及びｈは、得られた測定値をもとに、次式（１）及び（２）を用いて求めた。これらの結果を表１示す。
【００７０】
【数３】
0004816890.tif 000004
【００７１】
【数４】
0004816890.tif 000005
【００７２】
（３）インクセットの構成
表１に示したインクを、表２及び表３に示したように組み合わせてインクジェット記録用水性インクセットを構成した。なお、比較例Ｂ２及び比較例Ｇ２は、従来のインクセットに相当する。
【００７３】
（４）インクセットの評価
表２及び表３に示したインクセットについて、インクセットを構成するインクを所定のインクカートリッジに充填し、インクカートリッジをインクジェットプリンタ搭載デジタル複合機（ブラザー工業（株）製；ＭＦＣ−５２００Ｊ）に装着し、光沢紙（富士写真フィルム（株）製；画彩（登録商標）光沢仕上げ）に、下記のサンプルをプリントした。
【００７４】
シアン染料インク、ブルー顔料インク及びマゼンタインクからなるインクセット（表２）では、シアン色粒状感評価用として、シアンインク（ライトシアン染料インク又はノーマルシアン染料インク）のグラデーションサンプルをプリントし、ブルー色及びシアン色の色再現評価用並びにシアン色プリント部の耐ガス性評価用として、シアンインク（ライトシアン染料インク又はノーマルシアン染料インク）、ブルーインク（ブルー顔料インク又はブルー染料インク）及びマゼンタインクの混合割合を変えて、種々の色相のパッチを含むプリントパターンサンプルをプリントした。
【００７５】
シアン染料インク、グリーン顔料インク及びイエローインクからなるインクセット（表３）では、シアン色粒状感評価用として、シアンインク（ライトシアン染料インク又はノーマルシアン染料インク）のグラデーションサンプルをプリントし、グリーン色及びシアン色の色再現評価用並びにシアン色プリント部の耐ガス性評価用として、シアンインク（ライトシアン染料インク又はノーマルシアン染料インク）、グリーンインク（グリーン顔料インク又はグリーン染料インク）及びイエローインクの混合割合を変えて、種々の色相のパッチを含むプリントパターンサンプルをプリントした。
【００７６】
得られたサンプルのパッチについて、ａ*、ｂ*及びＬ*を前述と同様に測定し、インクセットにおいて、（ａ）シアン色粒状感評価、（ｂ）ブルー色再現評価又は（ｃ）グリーン色再現評価、（ｄ）シアン色再現評価、（ｅ）シアン色プリント部の耐ガス性評価、（ｆ）総合評価を次のように行った。その結果を表２及び表３に示す。
【００７７】
（ａ）シアン色粒状感評価
上述のグラデーションサンプルにおけるＬ*＝９０のパッチに対して、目視にてシアン色の粒状感を以下の評価基準に基づき評価した。評価結果を表２及び表３に示す。
◎…粒状感が認められない
○…粒状感がほとんど目立たない
×…粒状感が目立ち、実用上問題あり
【００７８】
（ｂ）ブルー色再現評価
（ｂ−１）目視評価
上述のプリントパターンサンプルより、ｈ＝２７０〜３２０°に該当するブルー色パッチを選択し、目視にて、ブルー色が充分に表現されているか否かを以下の評価基準に基づき評価した。評価結果を表２に示す。
◎…高濃度ブルー色を充分に表現できている
○…高濃度ブルー色を表現できている
×…高濃度ブルー色の表現が不足している
【００７９】
（ｂ−２）彩度（Ｃ*）、彩度差（ΔＣ*Ｂ）
上述のプリントパターンサンプルから、ブルー色に対応するｈが２７０〜３２０°であって、Ｌ*が３８±５のパッチを選択し、Ｃ*を前述の式（１）により算出した。
【００８０】
また、比較基準として比較例Ｂ２のパッチ（ｈ＝２７８°）のＣ*を使用し、次式（３）により、上述のパッチのＣ*と比較例Ｂ２のパッチのＣ*との差を彩度差（ΔＣ*Ｂ）として求めた。ここで、彩度差（ΔＣ*Ｂ）が大きいほど、高濃度ブルー色再現性が優れていることを示す。評価結果を表２に示す。
【００８１】
【数５】
0004816890.tif 000006
【００８２】
（ｃ）グリーン色再現評価
（ｃ−１）目視評価
上述のプリントパターンサンプルより、ｈ＝１７５〜２１５°に該当するグリーン色パッチを選択し、目視にて、グリーン色が充分に表現されているか否かを以下の評価基準に基づき評価した。評価結果を表３に示す。
◎…高濃度グリーン色を充分に表現できている
○…高濃度グリーン色を表現できている
×…高濃度グリーン色の表現が不足している
【００８３】
（ｃ−２）彩度（Ｃ*）、彩度差（ΔＣ*Ｇ）
上述のプリントパターンサンプルから、グリーン色に対応するｈが１７５〜２１５°であって、Ｌ*が５３±３のパッチを選択し、Ｃ*を前述の式（１）により算出した。
【００８４】
また、比較基準として比較例Ｇ２のパッチ（ｈ＝１９６°）のＣ*を使用し、次式（４）により、上述の各パッチのＣ*と比較例Ｇ２のパッチのＣ*との差を彩度差（ΔＣ*Ｇ）として求めた。ここで、彩度差（ΔＣ*Ｇ）が大きいほど、高濃度グリーン色再現性が優れていることを示す。評価結果を表３に示す。
【００８５】
【数６】
0004816890.tif 000007
【００８６】
（ｄ）シアン色再現評価
（ｄ−１）目視評価
上述のプリントパターンサンプルから、シアン色に対応するｈ＝２１５〜２５５°のパッチを選択し、目視にて、シアン色が充分に表現されているか否かを以下の評価基準に基づき評価した。評価結果を表２及び表３に示す。
◎…高濃度シアン色を充分に表現できている
○…高濃度シアン色に近い色が表現できている
×…高濃度シアン色表現が不足している
【００８７】
（ｄ−２）彩度（Ｃ*）、明度差（ΔＬ*）
上述のプリントパターンサンプルから、シアン色の範疇に属すると認められるｈ＝２１５〜２５５°のパッチであって、従来のインクセットでプリントした場合のシアン色を呈する比較例Ｂ２又は比較例Ｇ２のパッチ（ｈ＝２３４°、Ｌ*＝５４）と、Ｌ*及びｈが最も近いパッチを選択し、Ｃ*を前述の式（１）により算出した。
【００８８】
また、各パッチと比較例Ｂ２又は比較例Ｇ２のパッチとの明度差（ΔＬ*）を次式（５）により求めた。ここで、明度差（ΔＬ*）は、その値が大きいほど高濃度のシアン色が充分に表現できないことを示している。
【００８９】
【数７】
0004816890.tif 000008
【００９０】
（ｅ）シアン色プリント部耐ガス性評価
上述のプリントパターンサンプルを用いて、耐ガス性評価として、耐オゾン性試験を行った。
【００９１】
耐オゾン性試験は、スガ試験機（株）製オゾンウェザーメーターＯＭＳ−Ｈを用いて、オゾン濃度１ｐｐｍ、槽内温度２４℃、湿度６０％ＲＨで２００時間放置して行った。
【００９２】
耐オゾン性試験前に、シアン色に対応するｈ＝２１５〜２５５°でＯＤ値が０.６を示すシアン色カラーパッチについて、耐オゾン性試験後のＯＤ値をＧｒｅｔａｇ  Ｍａｃｂｅｔｈ社製反射濃度計ＲＤ−９１４を用いて測定した。次式（６）により、試験前のＯＤ値０.６のパッチに対するＯＤ値減少率を求め、得られたＯＤ値減少率を以下の評価基準に基づき評価した。評価結果を表２及び表３に示す。
【００９３】
【数８】
0004816890.tif 000009
0004816890.tif 000010
○…ＯＤ値減少率が３０％未満
×…ＯＤ値減少率が３０％以上
【００９４】
（ｆ）総合評価
インクセットにおける評価結果から、以下の評価基準に基づき総合評価を行った。結果を表２及び表３に示す。
○…すべての評価結果が、◎又は○である
△…シアン色粒状感評価、ブルー色再現評価又はグリーン色再現評価、及びシアン色再現評価については評価結果が◎又は○である
×…シアン色粒状感評価、ブルー色再現評価又はグリーン色再現評価、及びシアン色再現評価の評価結果のいずれかに×がある
【００９５】
【表１】
0004816890.tif 000011
【００９６】
【表２】
0004816890.tif 000012
【００９７】
【表３】
0004816890.tif 000013
【００９８】
表２に示したように、実施例Ｂ１〜Ｂ３では、Ｌ*≧６０のライトシアン染料インクを用いているためにシアン色低濃度プリント部（Ｌ*＝９０）において粒状感がほとんど目立たなくなっている。また、Ｌ*≦４５のブルーインクを用いているために、従来のインクセット（比較例Ｂ２）と比較してブルー色の再現範囲が広がり（ΔＣ*Ｂ値が大きい）、従来のインクセット（比較例Ｂ２）で表現できるシアン色と遜色ない程度の高濃度のシアン色も表現できた。さらに、ブルー色をブルーインク単色で表現することができ、かつブルーインクの着色剤が顔料であることにより、ブルー色のテキストについて重ね打ちによる着弾誤差が生ずることがなく、極めてシャープな印字が得られ、加えて、ブルーインクが染料インクからなるインクセット（比較例Ｂ１）に比べ、耐ガス性が向上した。
【００９９】
これに対し、比較例Ｂ１では、ブルーインクの着色剤が染料であるため耐ガス性が劣っていた。
【０１００】
比較例Ｂ２では、シアンインクがＬ*＜６０のノーマルシアンインクであるためシアン色低濃度プリント部の粒状感が目立ち、ブルーインクを用いていないため本願発明のインクセット（実施例Ｂ１〜Ｂ３）と比較してブルー色の再現範囲が狭く（ΔＣ*Ｂ値が小さい）、耐ガス性も劣っていた。
【０１０１】
比較例Ｂ３では、シアンインクがＬ*＜６０のノーマルシアンインクであるため、シアン色低濃度プリント部（Ｌ*＝９０）の粒状感が目立った。
【０１０２】
比較例Ｂ４、Ｂ５及びＢ６は、Ｌ*≧６０のライトシアンインクを用いているが、ブルーインクを用いていないため、本願発明のインクセット（実施例Ｂ１〜Ｂ３）と比較してブルー色の再現範囲が狭く（ΔＣ*Ｂ値が小さい）、高濃度シアン色の再現範囲が不足し、耐ガス性も劣っていた。特に、比較例Ｂ６では、明らかに高濃度ブルー色の表現ができず、また高濃度シアン色の表現も不足し、実用上問題があった。
【０１０３】
以上により、シアン色の色再現範囲を縮小させることなく、シアン色低濃度プリント部における粒状感を低減させること、ブルー色の再現範囲を拡大すること及びシアン色プリント部の耐ガス性を向上させることについて、実施例Ｂ1〜Ｂ３のインクセットは、比較例Ｂ１〜Ｂ６のインクセットに比して優れていた。
【０１０４】
一方、表３に示したように、実施例Ｇ１〜Ｇ２では、Ｌ*≧６０のライトシアン染料インクを用いているためにシアン色低濃度プリント部（Ｌ*＝９０）において粒状感がほとんど目立たなくなっている。また、Ｌ*≦６０のグリーンインクを用いているために、従来のインクセット（比較例Ｇ２）と比較してグリーン色の再現範囲が広がり（ΔＣ* Ｇ値が大きい）、従来のインクセット（比較例Ｇ２）で表現できるシアン色と遜色ない程度の高濃度のシアン色も表現できた。さらに、グリーン色をグリーンインク単色で表現することができ、かつグリーンインクの着色剤が顔料であることにより、グリーン色のテキストについて重ね打ちによる着弾誤差が生ずることがなく、極めてシャープな印字が得られ、耐ガス性も向上した。
【０１０５】
これに対し、比較例Ｇ１では、グリーン染料インクの着色剤が染料であるため耐ガス性が劣っていた。
【０１０６】
比較例Ｇ２では、シアンインクがＬ*＜６０のノーマルシアンインクであるためシアン色低濃度プリント部の粒状感が目立ち、グリーンインクを用いていないため本願発明のインクセット（実施例Ｇ１及びＧ２）と比較してグリーン色の再現範囲が狭く（ΔＣ*Ｇ値が小さい）、耐ガス性も劣っていた。
【０１０７】
比較例Ｇ３では、シアンインクがＬ*＜６０のノーマルシアンインクであるためシアン色低濃度プリント部（Ｌ*＝９０）の粒状感が目立った。
【０１０８】
比較例Ｇ４及びＧ５は、Ｌ*≧６０のライトシアンインクを用いているが、グリーンインクを用いていないため、明らかに高濃度グリーン色の表現ができず、また高濃度シアン色の表現も不足しており、実用上問題があった。
【０１０９】
以上により、シアン色の色再現範囲を縮小させることなく、シアン色低濃度プリント部における粒状感を低減させること、グリーン色の再現範囲を拡大すること及びシアン色プリント部の耐ガス性を向上させることについて、実施例Ｇ1〜Ｇ２のインクセットは、比較例Ｇ１〜Ｇ５のインクセットに比して優れていた。
【産業上の利用可能性】
【０１１０】
本発明のインクジェット記録用水性インクセットは、シアン方向の低濃度プリント部における粒状感の低減、耐ガス性向上、色再現範囲の拡大を実現するので、インクジェット記録用プリンタでカラー画像を再現する場合に有用となる。